(57)【特許請求の範囲】
【請求項１】
建造物の屋根の棟部において、棟瓦と屋根下地材との間の空間部分に設けられた換気部材と該換気部材を覆うようにして設けられた通気部材とから成る棟換気装置であって、
前記換気部材が、前記屋根下地材の棟方向に形成された開口部を棟の両側の該屋根下地材に跨って覆う換気部と、該換気部の上面に形成された換気口と、前記換気部の両側面の下端から外側に前記屋根下地材に沿うように形成された固定片と、を具備し、
前記通気部材が、前記換気部を覆う通気部と、該通気部の両側面の高さ方向に内側若しくは外側にブリッジ状に張出した張出板と側面との間に形成された通気孔と、前記通気部の両側面の下端が外側に折返され前記通気孔と相対向して形成された遮蔽板と、前記通気部の下端から前記遮蔽板の下端にかけて形成された水抜き穴と、を具備し、
さらに、前記通気孔の上端が、前記遮蔽板、及び前記換気部の側面の高さよりも低い位置となるように形成されていることを特徴とする棟換気装置。
【請求項２】
前記換気部材の上方に棟部に固定された棟木支持具によって棟木が支持されると共に、該棟木、前記換気部材、及び前記通気部材が換気カバーに覆われ、
該換気カバーが、略平面状に形成され前記棟木に当接固定される固定部と、該固定部の両側から所定勾配を有して外側に形成され、その下端部が外側に折返された傾斜面と、該傾斜面の下端に形成された通気口と、前記傾斜面の勾配方向に内側若しくは外側にブリッジ状に張出した張出板と傾斜面との間に形成された通気孔と、を具備し、
さらに、前記傾斜面の下端の裏面には、前記屋根下地材の上方に載置固定される屋根瓦と該傾斜面との間の気密性を確保するための弾性気密部材が設けられていることを特徴とする請求項１記載の棟換気装置を用いた棟部の換気構造。
【発明の詳細な説明】
【技術分野】
【０００１】
この発明は、建造物の屋根と天井との間に形成される小屋裏に雨水が浸入することなく、該小屋裏の換気を促すために屋根の棟部に設置される棟換気装置、及び該棟換気装置を用いた棟部の換気構造に関する。
【背景技術】
【０００２】
建造物の屋根と天井との間に形成される空間、すなわち小屋裏は、日本の気候風土上、夏季には該小屋裏の温度が高温となることから、その周辺を構成する木材の含水率が極端に低下することにより該木材の耐久性をも低下させ、また、冬季には該小屋裏内に結露が発生し、その周辺を構成する木材及び金属製の金具等を腐食させるという問題が生じていた。そして、これらの問題を解決すべく、小屋裏の換気を促すために以下のような棟部用換気装置が考案されている。
【０００３】
この棟部用換気装置は、図８に示すように、波打ち状の屋根瓦１０１を敷く勾配屋根の棟部より両側の屋根面に亘る略傘形の天板１０２と、所定の通気間隔を保って天板１０２の板面１０３と相対する両側の底板１０４と、天板１０３，底板１０４の各板面より互い違い交互に通気間隔の内部に起立する複数の邪魔板１０５とから形成し、屋外側の通気口１０６を天板１０３と底板１０４との下端側に開口し、屋内側の通気口１０７を底板１０４の上端側に開口した換気装置を備える。そして、棟部の換気口１０８を天板１０３の板面で覆い、勾配屋根の棟部より天板１０３の板面に向けて立ち上る止め金具１０９を取付け固定し、屋外側の通気口１０６より屋内外の空気を出し入れする家屋棟部用換気装置１１０である（例えば特許文献１）。
【０００４】
【特許文献１】特開２００５−３０７６１５号公報
【発明の開示】
【発明が解決しようとする課題】
【０００５】
しかし、上述の棟部用換気部材は、台風等の横風を伴う雨の際には通気口１０７等に雨水が滞留しやすく、また、通気孔内に雨水が入り込んだ場合には、該雨水が外部へ排出されにくい。そのため、さらに、横風が棟部に吹き込んだ際には、小屋裏にまで雨水が到達するという問題が生じる可能性がある。
【０００６】
この発明は上記のような種々の課題を解決することを目的としてなされたものであって、小屋裏の換気を確実に行いつつ、その内部への雨水の浸入を防ぐと共に、棟部に雨水が浸入したとしても確実に該雨水を外部に排出することのできる棟換気装置、及び該棟換気装置を用いた棟部の換気構造に関する。
【課題を解決するための手段】
【０００７】
上記目的を達成するために、請求項１記載の棟部換気装置は、建造物の屋根の棟部において、棟瓦と屋根下地材との間の空間部分に設けられた換気部材と該換気部材を覆うようにして設けられた通気部材とから成る棟換気装置であって、前記換気部材が、前記屋根下地材の棟方向に形成された開口部を棟の両側の該屋根下地材に跨って覆う換気部と、該換気部の上面に形成された換気口と、前記換気部の両側面の下端から外側に前記屋根下地材に沿うように形成された固定片と、を具備し、前記通気部材が、前記換気部を覆う通気部と、該通気部の両側面の高さ方向に内側若しくは外側にブリッジ状に張出した張出板と側面との間に形成された通気孔と、前記通気部の両側面の下端が外側に折返され前記通気孔と相対向して形成された遮蔽板と、前記通気部の下端から前記遮蔽板の下端にかけて形成された水抜き穴と、を具備し、さらに、前記通気孔の上端が、前記遮蔽板、及び前記換気部の側面の高さよりも低い位置となるように形成されていることを特徴としている。
【０００８】
請求項２記載の棟部の換気構造は、前記換気部材の上方に棟部に固定された棟木支持具によって棟木が支持されると共に、該棟木、前記換気部材、及び前記通気部材が換気カバーに覆われ、該換気カバーが、略平面状に形成され前記棟木に当接固定される固定部と、該固定部の両側から所定勾配を有して外側に形成され、その下端部が外側に折返された傾斜面と、該傾斜面の下端に形成された通気口と、前記傾斜面の勾配方向に内側若しくは外側にブリッジ状に張出した張出板と傾斜面との間に形成された通気孔と、を具備し、さらに、前記傾斜面の下端の裏面には、前記屋根下地材の上方に載置固定される屋根瓦と該傾斜面との間の気密性を確保するための弾性気密部材が設けられていることを特徴としている。
【発明の効果】
【０００９】
請求項１記載の棟部換気装置は、通気部材の通気部の両側面の高さ方向に内側若しくは外側にブリッジ状に張出した張出板と側面との間に形成された通気孔を具備している。これにより、一旦、張出板に風が衝突して２方向に分かれるようにして通気部材内に風が吹き込むので、直接通気部材内に風が吹き込むことがなく、建造物の外部から該建造物内に風が吹き込む際の風の勢いを弱めることができる。従って、風と共に通気孔から通気部材内部に浸入した雨水が、その内側の換気部材の換気部の外側面に付着した場合等にも、その雨水を押上げて該換気部材の換気口から小屋裏に当該雨水が浸入することがない。
【００１０】
また、通気孔の上端が、遮蔽板の高さよりも低い位置となるように形成されているので、建造物の外部から該建造物内部に吹き込む風が直接通気孔に当ることがなく、風が一旦遮蔽板に当る等してその勢いが弱められる。これにより該通気孔から風と共に雨水が浸入しにくくなると共に、その風が通気部材内に浸入した雨水を換気部材の換気口まで運ぶことがない。さらに、通気孔の上端が、換気部の側面の高さよりも低い位置となるように形成されているので、通気孔から風と共に雨水が浸入した場合にも、その雨水が換気部材の換気口に直接運ばれることがない。また、通気部材の通気部の下端から遮蔽板の下端にかけて水抜き穴が形成されているので、前述のように換気部材の換気部の外側面に付着した雨水が下端まで流れ落ち、さらに屋根下地材の勾配に従って流れることによって、当該水抜き穴から雨水が通気部材の外部に自発的に排出されるという利点がある。このように、小屋裏の換気を十分に行うことができると共に、該小屋裏に雨水が浸入することがない。
【００１１】
請求項２記載の棟部の換気構造は、前記換気部材の上方に棟部に固定された棟木支持具によって棟木が支持されると共に、該棟木、前記換気部材、及び前記通気部材が換気カバーに覆われており、該換気カバーの傾斜面にはその勾配方向に内側若しくは外側にブリッジ状に張出した張出板と傾斜面との間に形成された通気孔が形成されている。そのため、該傾斜面の下端に形成された通気口から吹き込んだ風がブリッジに衝突して２方向に分かれるようにして換気カバー内に入り込むので、風の勢いが弱められ、雨水がその風と共に建造物の小屋裏に浸入しにくくなる。そして、傾斜面は所定勾配を有するように形成されているので、換気カバーの通気口から風と共に雨水が浸入し、該雨水が傾斜面の表面に付着したとしても、その雨水は勾配に従って傾斜面を流れ落ち当該通気口から排出される。また、傾斜面の下端部が外側に折返されているので、傾斜面の下端部に形成された通気口から吹き込んだ風を通すための通気スペースを、棟瓦と換気カバーとの間に確保することができる。さらに、傾斜面の下端の裏面には、屋根下地材の上方に載置固定される屋根瓦と該傾斜面との間の気密性を確保するための弾性気密部材が設けられている。これにより、屋根瓦表面に付着した雨水が風に煽られてそのまま換気カバー内に浸入しにくくなっている。
【発明を実施するための最良の形態】
【００１２】
この発明における棟換気装置の最良の実施形態について、以下に説明する。本発明に係る棟換気装置１は、図７に示すように、建造物の屋根の棟部２において、棟瓦３と屋根下地材４との間の空間部分に設けられた換気部材５と該換気部材５を覆うようにして設けられた通気部材６とから成る棟換気装置１である。
【００１３】
前記換気部材５は、図１、及び図７に示すように、前記屋根下地材４の棟方向に形成された開口部７を棟の両側の該屋根下地材４に跨って覆う換気部５１と、該換気部５１の上面に形成された換気口５２と、前記換気部５１の両側面５３の下端から外側に前記屋根下地材４に沿うように形成された固定片５４と、を具備している。そして、前記通気部材６が、図２、及び図７に示すように、前記換気部５１を覆う通気部６１と、該通気部６１の両側面６２の高さ方向に内側若しくは外側にブリッジ状に張出すように形成された通気孔６３と、前記通気部６１の両側面６２の下端が外側に折返され前記通気孔６３と相対向して形成された遮蔽板６４と、前記通気部６１の下端から前記遮蔽板６４の下端にかけて形成された水抜き穴６５と、を具備している。さらに、図４に示すように、前記通気孔６３の上端が、前記遮蔽板６４、及び前記換気部５１の側面５３の高さよりも低い位置となるように形成されているものである。
【００１４】
前記換気部材５は、図１に示すように、略矩形の板金を折り曲げ、或いは、穴を空ける等して形成されたものであり、建造物の屋根の棟方向に長尺に形成されている。ここで、屋根の棟部２には、図７に示すように、その棟方向に屋根下地材４の一部が切欠かれるようにして開口部７が設けられており、該開口部７から建造物の小屋裏８に風が流入、若しくは、小屋裏８から風が流出することにより該小屋裏８が換気される。
【００１５】
そして、換気部材５は、図１、図７に示すように、棟部２に形成された開口部７に跨るように断面形状が略コの字形に形成された換気部５１を具備している。そして、換気部５１には、該換気部５１の両側面５３の下端から外側に該換気部材５の長手方向に渡って、屋根下地材４に沿うように所定勾配を有する固定片５４が形成されている。また、固定片５４には、換気部材５と通気部材６とを連結する際に使用される連結孔５４ａや、該換気部材５を屋根下地材４に固定する際に使用されるネジ孔５４ｂを適宜設けておくことが作業性がよく好ましい。そして、換気部材５の換気部５１の上面には、図１に示すように、該換気部材５の長手方向に所定間隔で該上面を切欠いて形成された換気口５２を具備している。
【００１６】
前記通気部材６は、図２に示すように、略矩形の板金を折り曲げ、或いは、穴を空ける等して形成されたものであり、前記換気部材５と略同等の長さとなるように長尺に形成され、建造物の屋根の棟方向に使用される。そして、前記通気部材６は、図４に示すように、換気部材５の換気部５１を覆うように断面形状が略コの字形の通気部６１を具備している。該通気部６１の両側面６２には、図３に示すように、その高さ方向に内側にブリッジ状に張出した張出板６３ａと側面６２とで通気部材６の長手方向に渡って複数形成されている。本実施形態では、通気孔６３は、通気部６１の側面６２から内側にブリッジ状に張出した張出板６３ａと側面６２との間に形成されているが、外側にブリッジ状に張出すように形成されていてもよい。
【００１７】
ここで、通気部６１の側面６２に貫通孔を形成した場合には、通気部材６の外側から内側に風が吹き込む際に、その勢いが弱まることなくその内側に風が吹き込む。しかし、本実施形態のように内側にブリッジ状に張出した張出板６３ａと側面６２との間に通気孔６３を形成することで、図３に示すように、通気部６１の側面６２に吹付けた風が一旦張出板６３ａに衝突して２方向に分かれ、これにより、通気部材６の外部から内部に吹き込む風の勢いを弱めることができる。そのため、図４に示すように、通気孔６３から風と共に雨水Ｗが浸入し換気部材５の換気部５１の側面５３に該雨水Ｗが付着した場合にも、通気孔６３から吹き込む風の勢いが弱いので、その雨水Ｗが風に煽られて換気部材５の換気口５２に到達して小屋裏８に雨水Ｗが浸入することなく、風だけを小屋裏８に導くことができる。
【００１８】
また、通気部６１の両側面６２の下端が外側に折返され通気孔６３と相対向して遮蔽板６４が形成され、その先端は安全のために折返されている。尚、通気部材６を長手方向に２つ以上連結して使用する際等に該通気部材６の端部同士を重ね合わせて連結しやすいように、本実施形態では遮蔽板６４は、図２に示すように、該通気部材６の両端の一部には遮蔽板６４を形成していない。そして、前記通気孔６３の上端は、図４に示すように、遮蔽板６４、及び換気部材５の換気部５１の側面５３の高さよりも低い位置となるように形成されている。そのため、建造物外部から吹き込んだ風が遮蔽板６４に妨げられるので、通気孔６３に風が直接当たることがなく、また、通気部材６の内部に吹き込んだ風も一旦換気部５１の側面５３に当たる等して、該換気部材５の換気口５２に直接吹き込むことがないので、その風が雨水を伴うものであっても小屋裏８に該雨水が浸入することがない。
【００１９】
そして、通気部６１の下端から遮蔽板６４までの折返し部６６は、換気部材５の固定片５４と同様の所定勾配を有するように形成されている。そして、該折返し部６６には、通気部材６を換気部材５に被せた際に該換気部材５の連結孔５４ａと対応する位置に、同様に連結孔６６ａが所定間隔で形成されており、図４に示すように、これらの連結孔６６ａを利用して適宜リベット９等を用いて換気部材５と通気部材６とを容易に連結することができる。また、通気部６１の両側面６２の下端から折返し部６６を経て遮蔽板６４の下端が切欠かれるようにして水抜き穴６５が所定位置に形成されている。これにより、図４に示すように、換気部材５と通気部材６とが連結された際には、風と共に雨水が通気部材６の内部に浸入し、換気部材５の換気部５１の側面５３に雨水Ｗが付着することがあるが、これらは自発的に固定片５４まで落ち、さらに、該固定片５４の勾配に従って水抜き穴６５を通って通気部材６の外部に排出される。
【００２０】
以上のように形成される換気部材５と通気部材６とを具備する棟換気装置１を用いた棟部の換気構造１０について以下に説明する。
【００２１】
本実施形態に係る棟部の換気構造１０は、図７に示すように、通気部材６の上方に棟部２に固定されている棟木支持具１１によって棟木１２が支持されると共に、該棟木１２、換気部材５、及び通気部材６が換気カバー１３に覆われているものである。また、屋根の棟部２を施工する際には、棟部２の屋根下地材４を切欠くようにして、開口部７が形成され、該屋根下地材４の上には、適宜防水シート等の下葺材１４が設けられた後、該下葺材１４の上には屋根瓦１５を設置するための縦桟１６や桟木１７等がネジ１８等で適宜取付けられている。そして、屋根瓦１５が適宜ネジ１９等で桟木１７、縦桟１６、及び屋根下地材４等を貫通するようにして取付けられている。尚、桟木１７の下方等に予め図外の穴が形成されており、前述のように抜き穴６５を通って通気部材６の外部に排出された雨水が、当該穴を通って屋根勾配を流れて軒先から外部に排出される。
【００２２】
前記棟木支持具１１は、図６に示すように、建造物の屋根の棟部２の棟方向に取付けられる棟木１２を支持するための部材であって、該棟木１２を保持する上方に開口した略コの字型の保持部１１ａと、該棟木１２を棟部２から所定高さに保持する支持部１１ｂと、該支持部１１ｂの下端から両側に屋根の勾配と略同等の勾配を有して延設される固定部１１ｃを具備している。そして、棟木支持具１１を屋根下地材４の棟部２に取付ける際には、固定部１１ｃに設けれられたネジ孔１１ｄを利用して該屋根下地材４にネジ固定されている。また、棟木支持具１１の保持部１１ａに棟木１２を取付ける際には、図６に示すように、棟部２の棟方向に所定間隔をあけて屋根下地材４に取付けられた棟換気装置１の間に、棟木支持具１１を前述のようにして取付けた後、保持部１１ａに棟木１２を挿入し、図７に示すように、該保持部１１ａの両側面に設けられたネジ孔１１ｅを用いてネジ２０等で固定する。
【００２３】
前記換気カバー１３は、図５に示すように、略矩形の板金を折り曲げ、或いは、穴を空ける等して、換気部材５や通気部材６よりも若干長尺に形成されたものであり、建造物の屋根の棟方向に長尺に形成されている。そして、換気カバー１３は、略平面状に形成され棟木１２に当接固定される固定部１３ａと、該固定部１３ａの両側から所定勾配を有して外側に形成され、その下端部が外側に折返された傾斜面１３ｂとを具備し、さらに、傾斜面１３ｂの下端部には通気口１３ｃが所定間隔で形成されている。そのため、通気口１３ｃから風と共に雨水が浸入し傾斜面１３ｂの表面に雨水が付着した際にも、その雨水は勾配に従って流れ落ち該通気口１３ｃから外部に排出される。
【００２４】
また、換気カバー１３の両端の一部は、図５に示すように、傾斜面１３ｂの下端部が外側に折返されておらず、図６に示すように、該換気カバー１３の端部同士を重ね合わせて連結することで、棟木１２等を隙間なく覆うことができるようになっている。そして、傾斜面１３ｂには、勾配方向に内側に、通気部材６の通気孔６３と同様にブリッジ状に張り出すように張出板１３ｄと傾斜面１３ｂとの間に通気孔１３ｅが形成されているので、ここを通過する風は該張出板１３ｄに当たって風の勢いを弱めることができる。また、本実施形態では、通気孔１３ｅは、換気カバー１３の傾斜面１３ｂから内側にブリッジ状に張出すように形成されているが、該傾斜面１３ｂから外側にブリッジ状に張出すように形成されていてもよい。また、その他にも互いに重合された屋根瓦１５の間や、当該屋根瓦１５と桟木１７との間等からも建物外部から風や、風と共に雨水が棟部２に浸入する可能性があるが、遮蔽板６４や換気部材５の側面５１に雨水は阻止され、風のみが開口部７から小屋裏８に浸入する。
【００２５】
また、換気カバー１３は、図７に示すように、その固定部１３ａを棟木１２の上面に当接するようにして棟換気装置１、及び棟木１２を覆い、さらに、その上方から棟瓦３を被せる。そして、棟瓦３、及び換気カバー１３の固定部１３ａを貫通するようにして、該棟瓦３の上方からネジ２１をねじ込んで、棟木１２に換気カバー１３、及び棟瓦３が固定される。そして、傾斜面１３ｂの下端の裏面には弾性気密部材２２が設けられているので、前述のように換気カバー１３の上方に屋根瓦１５を被せて押圧することで該弾性気密部材２２が弾性変形し屋根瓦１５と傾斜面１３ｂの下面との気密性を確保することができる。
【産業上の利用可能性】
【００２６】
この発明の棟換気装置１、及び該棟換気装置１を用いた棟部の換気構造１０は、瓦の形状や、屋根の勾配等に依存することなく利用可能である。
【図面の簡単な説明】
【００２７】
【図１】本実施形態に係る換気部材の斜視図
【図２】本実施形態に係る通気部材の斜視図
【図３】本実施形態に係る通気部材に形成された通気孔の拡大斜視図
【図４】本実施形態に係る棟換気装置の断面図
【図５】本実施形態に係る換気カバーの斜視図
【図６】本実施形態に係る棟部の換気構造の施工の様子を示す斜視図
【図７】本実施形態に係る棟部の換気構造の断面図
【図８】従来技術を示す図
【符号の説明】
【００２８】
１      棟換気装置
２      棟部
３      棟瓦
４      屋根下地材
５      換気部材
５１    換気部
５２    換気口
５３    側面
５４    固定片
６      通気部材
６１    通気部
６２    側面
６３    通気孔
６３ａ  張出板
６４    遮蔽板
６５    水抜き穴
７      開口部
１０    棟部の換気構造
１１    棟木支持具
１２    棟木
１３    換気カバー
１３ａ  固定部
１３ｂ  傾斜面
１３ｃ  通気口
１３ｄ  張出板
１３ｅ  通気孔
１５    屋根瓦
２２    弾性気密部材
【図１】
0005098664.tif 000002
【図２】
0005098664.tif 000003
【図３】
0005098664.tif 000004
【図４】
0005098664.tif 000005
【図５】
0005098664.tif 000006
【図６】
0005098664.tif 000007
【図７】
0005098664.tif 000008
【図８】
0005098664.tif 000009